(57)【要約】【課題】  直筒軸方向が操作者に向けられ、且つ直筒の軸が全体のミシンの横式作業プラットフォームの軸方向と垂直である横式直筒ミシンの提供。【解決手段】  自動糸弛め装置、張力調整機構、自動糸切り双方向電磁石装置及び差動布案内行程制御装置からなり、そのうち、該差動布案内行程制御装置は、横式作業プラットフォーム内に配置され且つ共通軸に駆動される主伝動機構、第１、２押動機構及び揺動機構、第１、２調整機構及び直筒内において共通軸と垂直に配置された第１、２布案内機構で構成され、ミシンの直筒軸方向が操作者に向けられ、且つ直筒の軸と全体のミシンの横式作業プラットフォームの軸方向が垂直とされている。【選択図】        図１
0003102421.tif 000002
【実用新案登録請求の範囲】
【請求項１】
自動糸弛め装置（１００）、張力調整機構（２００）、自動糸切り双方向電磁石装置（３００）及び差動布案内行程制御装置（４００）からなる横式直筒ミシンにおいて、
該差動布案内行程制御装置（４００）は、主伝動機構（１）と、該主伝動機構（１）に駆動され往復揺動する第１、２押動機構（２、３）と、該第１、２押動機構（２、３）に接続された第１、２調整機構（６、７）と、主伝動機構（１）に駆動される揺動機構（８）と、第１、２押動機構（２、３）に駆動されて水平往復スライドし揺動機構（８）に駆動されて上下に褶動して楕円形軌跡を描いて前後に運転すると共に他の各機構と垂直を呈するように配置されならびに相互に伝動する第１、２布案内機構（４、５）と、を具え、  第１、２布案内機構（４、５）とその他の各機構間が垂直に配置されならびに相互に伝動して第１、２布案内機構（４、５）の間の作業行程が制御され、これにより布を案内し、ならびに第１、２調整機構（６、７）により第１、２押動機構（２、３）のオフセット量が調整されて、有効にその相対作業行程が制御されることを特徴とする、横式直筒ミシン。
【請求項２】
請求項１記載の横式直筒ミシンにおいて、主伝動機構（１）が共通軸（１１）を具え、該共通軸（１１）の一端に第１クランク（１２）、第２クランク（１５）、及び第３クランク（１３）が順に嵌合され、該第１クランク（１２）が軸受（１２２）を具えた軸スリーブ（１２１）に嵌合され、さらに軸スリーブ（１２１）が共通軸（１１）の一端に螺子止めされ、該第３クランク（１３）は軸受（１４１）を具えた軸スリーブ（１４）の一端に嵌合され、その後、ワッシャ（１２３）を介して第１クランク（１２）の傍らに組み付けられ、該軸スリーブ（１４）のもう一端に軸受（１４２）が嵌合され、軸受（１４２）の外周に第２クランク（１５）が嵌合され、第２クランク（１５）の軸受（１４）と反対側に位置決め装置（１６）が配置されて共通軸（１１）及び下曲針機構（１６０）が組み付けられ、該共通軸（１１）の第１クランク（１２）と反対の一端に軸スリーブ（１７）が嵌合され、該軸スリーブ（１７）に軸受（１７１）とワッシャ（１７２）が配置され、軸スリーブ（１７）に第４クランク（１８）が嵌合され、該第４クランク（１８）の一端に組み付け溝（１８１）が設けられ、軸（１８２）により二つの連動ブロック（２１、６１）が枢設され、該連動ブロック（２１、６１）は第１押動機構（２）と第１調整機構（６）の接続に供され、該第１押動機構（２）は、連動ブロック（２１）に枢設された第５クランク（２２）を具え、第５クランク（２２）に軸スリーブ（２３）で軸（２４）が嵌合され、軸（２４）の別端に第６クランク（２５）が設けられ、第６クランク（２５）の別端（２５’）に位置決め手段（２７）により第１プッシュアーーム（２６）が枢設されならびに第１布案内機構（４）が組み付けられ、該主伝動機構（１）の第２クランク（１５）の別端（１５’）が第２押動機構（３）に組み付けられ、第２クランクの別端（１５’）が枢軸（３１１）によりクランク（３１）の一端（３１’）に枢設され、クランク（３１）の別端（３１”）はミシン内部に固定され、該クランク（３１）は軸（３２）により駆動され回転し、軸（３２）のクランク（３１）の一側の位置に軸スリーブ（３６）、自潤滑軸受（３５）、連動手段（３４）及び連動手段（３４）内に枢設された連動アーム（３７）により第１押動機構（２）に組み付けられ、軸（３２）のクランク（３２）の別側の位置に、自潤滑軸受（３９）及び軸スリーブ（３８、３８’）内に挟まれた連動手段（３３）が嵌合され、そのうち、クランク（３１）の一側の位置の連動手段（３３）が第２調整機構（７）に接続され、第１布案内機構（４）の末端は組み付け手段（４２）により第１押動機構（２）の第１プッシュアーム（２６）に組み付けられ、該第２布案内機構（５）の末端は第２プッシュアーム（５６）により第２押動機構（３）と第２調整機構（７）に接続され、第１調整機構（６）は従動手段（６２）を具え、該従動手段（６２）に取り付け孔（６２１、６２２、６２３）が設けられ、取り付け孔（６２１）は位置決め手段（６２１１）の挿通と位置決めに供され、取り付け孔（６２２）はスイングレバー式調整部（６４）の駆動軸（６３）の組み付けに供され、取り付け孔（６２３）は枢軸（６１１）で連動ブロック（６１）に枢設され、第２調節機構（７）はクランク（７１）の一端（７１１）により前述の連動手段（３３）に枢設され、クランク（７１）の別端（７１２）は軸（７２１）で連動アーム（７２）とクランク（７３）に枢設され、このクランク（７３）の一端（７３’）が軸（７４）で従動手段（７５）に接続され、従動手段（７５）に取り付け孔（７５１、７５２、７５３）が開設され、そのうち取り付け孔（７５１）は軸（７４）と接続され、取り付け孔（７５３）は位置決め手段（７６）の挿入と位置決めに供され、取り付け孔（７５２）はスイングレバー式調整部（７９）の駆動軸（７８）の組み付けに供され、第２調整機構（７）の連動アーム（７２）の別端（７２’）は二つのクランク（５７、５２）の相互伝動により第２布案内機構（５）を駆動し、第１、２布案内機構（４、５）は第１、２スライドアーム（４１、５１）を具え、第１、２スライドアーム（４１、５１）の底部に滑り溝（４４、５４）が設けられて支持軸（５５）が組み合わされ、ならびに第１、２スライドアーム（４１、５１）が支持軸（５５）を支点として滑り溝（４４、５４）の空間を前後にスライドし、さらに第１、２スライドアーム（４１、５１）の末端に後ろ布案内歯（４３）と前布案内歯（５３）が設けられ、該第１、２スライドアーム（４１、５１）が前布案内歯（５３）と後ろ布案内歯（４３）の別の末端に対応し、軸棒（８４）により第１、２スライドアーム（４１、５１）が揺動機構（８）に組み付けられ、該揺動機構（８）は軸棒（８４）に組み付けられる橇板（８１）を具え、橇板（８１）の別端に組み付け手段（８３）により主伝動機構（１）の第１クランク（１２）が組み付けられたことを特徴とする、横式直筒ミシン。
【請求項３】
請求項１記載の横式直筒ミシンにおいて、主伝動機構（１）、第１、２押動機構（２、３）及び第１、２調整機構（６、７）内に油路（９５）と油孔（９６）が開設され、各機構の各部品が組み付けられる時に、油孔（９６）が連通状態を形成することを特徴とする、横式直筒ミシン。
【考案の詳細な説明】
【技術分野】
【０００１】
本考案は一種の横式直筒ミシンに係り、特に、直筒軸方向が操作者に向けられ、且つ直筒の軸が全体のミシンの横式作業プラットフォームの軸方向と垂直である、横式直筒ミシンに関する。
【背景技術】
【０００２】
伝統的な工業用高速筒型ミシンの機構設計は、直筒型ミシンと横筒型ミシンに大きく分けられる。直筒型ミシンの筒体の軸方向は操作者に向けられ、全体のミシンの伝動軸の軸方向も同様である。反対に、横筒型ミシンの筒体軸方向は操作者の前方にあって横向きとされている。直筒型ミシンは衣類の袖口、袖口の伸縮帯を塗ったり各種の円形製品を縫うのに使用される。操作の便利性から言うと、直筒ミシンの調整部品は使用時に大部分が直筒前端のミシン機構の阻止を受けるため操作と調整に不利である。
【０００３】
このほか、上述のミシンの伝動運転時に、ミシン内部の機構は潤滑油の供給が必要で、これにより各伝動部品を順調に運転或いは伝動させることができる。潤滑油供給方式は、伝動軸或いは体積の比較的大きな部品内部を中空状として中空部分に綿を充填して潤滑油を滴入し、機構運転時に綿にしみこんだ潤滑油が各機構運転時の潤滑効果を提供し、機構の順調な運転を確保する、というものである。しかし、このような潤滑油供給方式は部品が比較的大きいミシンへの使用に適合するだけで、小型ミシンは機構が小さいため不適合である。
【考案の開示】
【考案が解決しようとする課題】
【０００４】
本考案の主要な目的は、上述の欠点を解決し、欠点の存在を無くすことにあり、即ち本考案は共通軸で各伝動機構を駆動し、ならびに共通軸と垂直を呈するよう配置された前布案内歯と後ろ布案内歯を駆動して送歯動作を行なわせ、差動布案内行程制御装置を具えた横式直筒ミシンを構成する。
【０００５】
本考案のもう一つの目的は、第１、２調整機構により第１、２押動機構のオフセット量を調整し、有効にその上の前布案内歯と後ろ布案内歯の相対作業行程を制御し、さらに調整機構を直筒型ミシンの一側に新たに配置し、操作者及び修理者が簡単に調整できるようにすることにある。
【０００６】
本考案のさらに一つの目的は、各機構の伝動に必要な油供給方式の設計を改良し、機構運転下で、相互間で潤滑油が相互に伝送されるようにして機構を順調に運転させられるようにすることにある。
【課題を解決するための手段】
【０００７】
請求項１の考案は、自動糸弛め装置（１００）、張力調整機構（２００）、自動糸切り双方向電磁石装置（３００）及び差動布案内行程制御装置（４００）からなる横式直筒ミシンにおいて、
該差動布案内行程制御装置（４００）は、主伝動機構（１）と、該主伝動機構（１）に駆動され往復揺動する第１、２押動機構（２、３）と、該第１、２押動機構（２、３）に接続された第１、２調整機構（６、７）と、主伝動機構（１）に駆動される揺動機構（８）と、第１、２押動機構（２、３）に駆動されて水平往復スライドし揺動機構（８）に駆動されて上下に褶動して楕円形軌跡を描いて前後に運転すると共に他の各機構と垂直を呈するように配置されならびに相互に伝動する第１、２布案内機構（４、５）と、を具え、  第１、２布案内機構（４、５）とその他の各機構間が垂直に配置されならびに相互に伝動して第１、２布案内機構（４、５）の間の作業行程が制御され、これにより布を案内し、ならびに第１、２調整機構（６、７）により第１、２押動機構（２、３）のオフセット量が調整されて、有効にその相対作業行程が制御されることを特徴とする、横式直筒ミシンとしている。
請求項２の考案は、請求項１記載の横式直筒ミシンにおいて、主伝動機構（１）が共通軸（１１）を具え、該共通軸（１１）の一端に第１クランク（１２）、第３クランク（１３）、及び第２クランク（１５）が順に嵌合され、該第１クランク（１２）が軸受（１２２）を具えた軸スリーブ（１２１）に嵌合され、さらに軸スリーブ（１２１）が共通軸（１１）の一端に螺子止めされ、該第３クランク（１３）は軸受（１４１）を具えた軸スリーブ（１４）の一端に嵌合され、その後、ワッシャ（１２３）を介して第１クランク（１２）の傍らに組み付けられ、該軸スリーブ（１４）のもう一端に軸受（１４２）が嵌合され、軸受（１４２）の外周に第２クランク（１５）が嵌合され、第２クランク（１５）の軸受（１４）と反対側に位置決め装置（１６）が配置されて共通軸（１１）及び下曲針機構（１６０）が組み付けられ、該共通軸（１１）の第１クランク（１２）と反対の一端に軸スリーブ（１７）が嵌合され、該軸スリーブ（１７）に軸受（１７１）とワッシャ（１７２）が配置され、軸スリーブ（１７）に第４クランク（１８）が嵌合され、該第４クランク（１８）の一端に組み付け溝（１８１）が設けられ、軸（１８２）により二つの連動ブロック（２１、６１）が枢設され、該連動ブロック（２１、６１）は第１押動機構（２）と第１調整機構（６）の接続に供され、該第１押動機構（２）は、連動ブロック（２１）に枢設された第５クランク（２２）を具え、第５クランク（２２）に軸スリーブ（２３）で軸（２４）が嵌合され、軸（２４）の別端に第６クランク（２５）が設けられ、第６クランク（２５）の別端（２５’）に位置決め手段（２７）により第１プッシュアーム（２６）が枢設されならびに第１布案内機構（４）が組み付けられ、該主伝動機構（１）の第２クランク（１５）の別端（１５’）が第２押動機構（３）に組み付けられ、第２クランクの別端（１５’）が枢軸（３１１）によりクランク（３１）の一端（３１’）に枢設され、クランク（３１）の別端（３１”）はミシン内部に固定され、該クランク（３１）は軸（３２）により駆動され回転し、軸（３２）のクランク（３１）の一側が軸スリーブ（３６）、自潤滑軸受（３５）、連動手段（３４）及び連動手段（３４）内に枢設された連動アーム（３７）により第１押動機構（２）に組み付けられ、軸（３２）のクランク（３２）の別側の位置に、自潤滑軸受（３９）及び軸スリーブ（３８、３８’）内に挟まれた連動手段（３３）が嵌合され、そのうち、クランク（３１）の一側の位置の連動手段（３３）が第２調整機構（７）に接続され、第１布案内機構（４）の末端は組み付け手段（４２）により第１押動機構（２）の第１プッシュアーム（２６）に組み付けられ、該第２布案内機構（５）の末端は第２プッシュアーム（５６）により第２押動機構（３）と第２調整機構（７）に接続され、第１調整機構（６）は従動手段（６２）を具え、該従動手段（６２）に取り付け孔（６２１、６２２、６２３）が設けられ、取り付け孔（６２１）は位置決め手段（６２１１）の挿通と位置決めに供され、取り付け孔（６２２）はスイングレバー式調整部（６４）の駆動軸（６３）の組み付けに供され、取り付け孔（６２３）は枢軸（６１１）で連動ブロック（６１）に枢設され、第２調節機構（７）はクランク（７１）の一端（７１１）により前述の連動手段（３３）に枢設され、クランク（７１）の別端（７１２）は軸（７２１）で連動アーム（７２）とクランク（７３）に枢設され、このクランク（７３）の一端（７３’）が軸（７４）で従動手段（７５）に接続され、従動手段（７５）に取り付け孔（７５１、７５２、７５３）が開設され、そのうち取り付け孔（７５１）は軸（７４）と接続され、取り付け孔（７５３）は位置決め手段（７６）の挿入と位置決めに供され、取り付け孔（７５２）はスイングレバー式調整部（７９）の駆動軸（７８）の組み付けに供され、第２調整機構（７）の連動アーム（７２）の別端（７２’）は二つのクランク（５７、５２）の相互伝動により第２布案内機構（５）を駆動し、第１、２布案内機構（４、５）は第１、２スライドアーム（４１、５１）を具え、第１、２スライドアーム（４１、５１）の底部に滑り溝（４４、５４）が設けられて支持軸（５５）が組み合わされ、ならびに第１、２スライドアーム（４１、５１）が支持軸（５５）を支点として滑り溝（４４、５４）の空間を前後にスライドし、さらに第１、２スライドアーム（４１、５１）の末端に後ろ布案内歯（４３）と前布案内歯（５３）が設けられ、該第１、２スライドアーム（４１、５１）が前布案内歯（５３）と後ろ布案内歯（４３）と反対の別端に、軸棒（８４）により揺動機構（８）が組み付けられ、該揺動機構（８）は軸棒（８４）に組み付けられる橇板（８１）を具え、橇板（８１）の別端に組み付け手段（８３）により主伝動機構（１）の第１クランク（１２）が組み付けられたことを特徴とする、横式直筒ミシンとしている。
請求項３の考案は、請求項１記載の横式直筒ミシンにおいて、主伝動機構（１）、第１、２押動機構（２、３）及び第１、２調整機構（６、７）内に油路（９５）と油孔（９６）が開設され、各機構の各部品が組み付けられる時に、油孔（９６）が連通状態を形成することを特徴とする、横式直筒ミシンとしている。
【考案の効果】
【０００８】
本考案は、従来の技術の欠点を解決し、欠点の存在を無くしており、即ち本考案は共通軸で各伝動機構を駆動し、ならびに共通軸と垂直を呈するよう配置された前布案内歯と後ろ布案内歯を駆動して送歯動作を行なわせ、差動布案内行程制御装置を具えた横式直筒ミシンを構成している。
【０００９】
本考案はまた、第１、２調整機構により第１、２押動機構のオフセット量を調整し、有効にその上の前布案内歯と後ろ布案内歯の相対作業行程を制御し、さらに調整機構を直筒型ミシンの一側に新たに配置し、操作者及び修理者が簡単に調整できるようにしている。
【００１０】
本考案はさらに、各機構の伝動に必要な油供給方式の設計を改良し、機構運転下で、相互間で潤滑油が相互に伝送されるようにして機構を順調に運転させられるようにしている。
【考案を実施するための最良の形態】
【００１１】
本考案の横式直筒ミシンは、自動糸弛め装置、張力調整機構、自動糸切り双方向電磁石装置及び差動布案内行程制御装置からなり、そのうち、該差動布案内行程制御装置は、横式作業プラットフォーム内に配置され且つ共通軸に駆動される主伝動機構、第１、２押動機構及び揺動機構、第１、２調整機構及び直筒内において共通軸と垂直に配置された第１、２布案内機構で構成され、ミシンの直筒軸方向が操作者に向けられ、且つ直筒の軸と全体のミシンの横式作業プラットフォームの軸方向が垂直とされている。
【実施例１】
【００１２】
図１は本考案の横式直筒ミシンの局部外観及び各装置の配置方式表示図である。図示されるように、本考案の横式直筒ミシン（９）は、直筒（９２）の軸方向が操作者に向けられ、且つ直筒（９２）の軸が全体のミシンの横式作業プラットフォーム（９１）の軸方向と垂直とされたミシン（９）である。該ミシン（９）は自動糸弛め装置（１００）、張力調整機構（２００）、自動糸切り双方向電磁石装置（３００）及び差動布案内行程制御装置（４００）からなる。
【００１３】
該自動糸弛め装置（１００）は、ミシン使用時に、適時に糸の張力を弛めるのに使用され、且つ良好な糸弛め装置及び位置配置を提供する。この自動糸弛め装置（１００）は、糸接続セット（１０１）、動力供給器（１０２）及び連動機構（１０３）を具え、該糸接続セット（１０１）はミシン（９）の上部背側に置かれ、動力供給器（１０２）（電磁弁）は該糸接続セット（１０１）の底部に置かれ、該連動機構（１０３）は糸接続セット（１０１）と動力供給器（１０２）を接続し、その動作原理は糸接続セット（１０１）の糸挟持器（１０５）の挟持片を弛め、さらに糸掛け器（１０４）を利用して糸を弛め、糸掛け器（１０４）が第１位置に設けられる時、糸掛け器（１０４）が移動を発生せず、糸を引っ張らず、動力供給器（１０２）が動力を提供して糸掛け器（１０４）が第２位置に移動すると、糸が糸掛け器（１０４）の移動の影響により引っ張られ、糸掛け器（１０４）が第１位置に戻った後に糸が弛められる、というものである。
【００１４】
該張力調整機構（２００）は、外接式の下糸を駆動するのに用いられ、ミシン（９）に動力源（２０１）が設置され、該動力源（２０１）に第３軸心（２０２）が接続され、操作者がミシン（９）に向かい合う時、第３軸（２０２）とミシン（９）の糸掛けアームが同一軸方向で使用者の前方に置かれ、第３軸心（２０２）が糸掛けアーム下方の落針位置の右側のミシン（９）本体内に位置し、第３軸心（２０２）の高さがミシン（９）の直筒（９２）作業プラットフォームより低く、該第３軸心（２０２）がミシン（９）の横に延伸されてカム（２０３）が設けられ、こうして張力調整機構（２００）が形成されて下糸の受ける張力の大きさを調整する。
【００１５】
該自動糸切り双方向電磁石装置（３００）は、横式直筒ミシン（９）専用の糸切りユニット（３０１）を具え、双方向電磁石（３０２）のガイドロッド（３０３）は、水平移動ロッド（３０４）に接続され、この水平移動する水平移動ロッド（３０４）により糸切りユニット（３０１）が駆動されて糸切り作業を行なう。そのうち、微力バネ（３０５）はガイドロッド（３０３）が水平移動ロッド（３０４）を駆動して原点位置に回復させる時、水平移動ロッド（３０４）及びそれに駆動される糸切りユニット（３０１）に正確に原点位置を維持させて、ぐらつきを防止する。ならびに双方向電磁石（３０２）により糸切りユニット（３０１）の糸切り刃を駆動して糸切りを行なわせ、さらに微力バネ（３０５）の補助により、従来の自動糸切り器の糸切りユニットの単方向駆動の動作の不確実な問題を改善する。
【００１６】
図２は差動布案内行程制御装置が横式直筒ミシン内部に配置された側面図である。図示されるように、本考案の横式直筒ミシン（９）の差動布案内行程制御装置（４００）は、共通軸（１１）に駆動される主伝動機構（１）、第１、２押動機構（２、３）、第１、２押動機構（２、３）及び揺動機構（８）に駆動される第１、２布案内機構（４、５）及び第１、２布案内機構（４、５）の前後差動行程を制御する第１、２調整機構（６、７）で構成されている。そのうち、主伝動機構（１）、第１、２押動機構（２、３）、第１、２調整機構（６、７）はいずれも横式直筒ミシン（９）の横式作業プラットフォーム（９１）内部に配置されている。第１、２布案内機構（４、５）は主伝動機構（１）と相互に垂直でならびに横式直筒ミシン（９）の直筒（９２）内部に配置される。主伝動機構（１）が外部モータ（図示せず）に駆動された後、第１、２押動機構（２、３）及び揺動機構（８）が駆動されて第１、２布案内機構（４、５）が駆動され楕円形の前後運転を行ない布を案内する。
【００１７】
図３は差動布案内行程制御装置（４００）の主伝動機構（１）の立体分解図である。図示されるように、主伝動機構（１）は、共通軸（１１）を具え、共通軸（１１）の一端に、順に第１クランク（１２）、第３クランク（１３）、及び第２クランク（１５）が順に嵌合されている。該第１クランク（１２）は軸受（１２２）を具えた軸スリーブ（１２１）に嵌合され、さらに軸スリーブ（１２１）が共通軸（１１）の一端に螺子止めされる。該第３クランク（１３）は軸受（１４１）を具えた軸スリーブ（１４）の一端に嵌合され、その後、ワッシャ（１２３）を介して第１クランク（１２）の傍らに組み付けられる。該軸スリーブ（１４）のもう一端に軸受（１４２）が嵌合され、軸受（１４２）の外周に第２クランク（１５）が嵌合され、第２クランク（１５）の軸受（１４）と反対側に位置決め装置（１６）が配置されて共通軸（１１）及び下曲針機構（１６０）が組み付けられ、ならびに横式直筒ミシン（９）の横式作業プラットフォーム（９１）内部に組み付けられ、該位置決め装置（１６）のクランク（１６１）に下曲針機構（１６０）が枢設され、該下曲針機構（１６０）は末端の曲針（１６２）の前後位置調節により、複雑な跳び糸或いは糸の貫通動作を行なう。
【００１８】
このほか、前述の第３クランク（１３）の別端（１３’）に針当機構（１３０）が設けられ、第２クランク（１５）の別端（１５’）は第１、３クランク（１２、１３）の同一方向に配設された第２押動機構（３）に位置する。そのうち、針当機構（１３０）はミシン（９）のミシン針が下向きに進針してミシン台に至る時、ミシン針を安定させて、ミシン針の高速運動により発生するぐらつきが針折れや目跳びの現象を発生するのを防止する。このほか、針当機構（１３０）は独立設計が採用され、針当の進退の時間差を単独で調整できる。該針当機構（１３０）は針当器（１３１）を具え、針当器（１３１）は活動体（１３３）及び前後の針当（１３４、１３５）を具え、そのうち後ろの針当（１３５）は活動体（１３３）に固定され、前の針当（１３４）は前述の往復運動と反対方向に揺動し、ミシン針の下向きの進針時に後ろ針当（１３５）と接近し、これによりミシン針を安定させる。
【００１９】
図４は差動布案内行程制御装置の主伝動機構と第１押動機構と第１調整機構の組立方式を示す立体分解図である。共通軸（１１）の第１クランク（１２）（図３）と反対の別端に軸スリーブ（１７）が嵌合され、軸スリーブ（１７）に軸受（１７１）とワッシャリング（１７２）が配置され、軸スリーブ（１７）に第４クランク（１８）が嵌合され、該第４クランク（１８）の一端に組み付け溝（１８１）が設けられ、軸（１８２）により二つの連動ブロック（２１、６１）が枢設され、該連動ブロック（２１、６１）は第１押動機構（２）と第１調整機構（６）に接続される。
【００２０】
該第１押動機構（２）は、連動ブロック（２１）に枢設された第５クランク（２２）を具え、第５クランク（２２）に軸スリーブ（２３）で軸（２４）が嵌合され、軸（２４）の別端に第６クランク（２５）が設けられ、第６クランク（２５）の別端（２５’）に位置決め手段（２７）により第１プッシュアーム（２６）が枢設されならびに第１布案内機構（４）が組み付けられる（図７）。
【００２１】
該第１調整機構（６）は従動手段（６２）を具え、該従動手段（６２）に取り付け孔（６２１、６２２、６２３）が設けられ、取り付け孔（６２１）は位置決め手段（６２１１）の挿通と位置決めに供され、取り付け孔（６２２）はスイングレバー式調整部（６４）の駆動軸（６３）の組み付けに供され、取り付け孔（６２３）は枢軸（６１１）で連動ブロック（６１）に枢設され、ならびに主伝動機構（１）に組み付けられる。
【００２２】
図５は差動布案内行程制御装置の第２押動機構と第１押動機構及び第２布案内機構の組立方式を示す立体分解図である。図示されるように、該主伝動機構（１）の第２クランク（１５）の別端（１５’）が第２押動機構（３）に組み付けられ（図３）、第２クランクの別端（１５’）が枢軸（３１１）によりクランク（３１）の一端（３１’）に枢設され、クランク（３１）の別端（３１”）はミシン（図示せず）内部に固定され、該クランク（３１）は軸（３２）により駆動され回転し、軸（３２）のクランク（３１）の一側が軸スリーブ（３６）、自潤滑軸受（３５）、連動手段（３４）及び連動手段（３４）内に枢設された連動アーム（３７）により第１押動機構（２）の第５クランク（２２）に組み付けられ、軸（３２）のクランク（３２）の別側の位置に、自潤滑軸受（３９）及び軸スリーブ（３８、３８’）内に挟まれた連動手段（３３）が嵌合され、そのうち、クランク（３１）の一側の位置の連動手段（３３）が第２調整機構（７）に接続されている。
【００２３】
図６は差動布案内行程制御装置の第２調整機構の立体分解図である。図示されるように、第２調整機構（７）は、クランク（７１）の一端（７１１）により前述の連動手段（３３）に枢設され、クランク（７１）の別端（７１２）は軸（７２１）で連動アーム（７２）とクランク（７３）に枢設され（図５）、クランク（７１）の別端（７１２）に軸（７２１）により連動アーム（７２）とクランク（７３）が枢設され、該クランク（７３）の一端（７３’）が軸（７４）で従動手段（７５）に接続され、従動手段（７５）に取り付け孔（７５１、７５２、７５３）が開設され、そのうち取り付け孔（７５１）は軸（７４）と接続され、取り付け孔（７５３）は位置決め手段（７６）の挿入と位置決めに供され、取り付け孔（７５２）はスイングレバー式調整部（７９）の駆動軸（７８）の組み付けに供される。
【００２４】
図７は差動布案内行程制御装置の第２調整機構と第２布案内機構、及び揺動機構と第１布案内機構の組立方式を示す立体分解図である。図示されるように、第２調整機構（７）の連動アーム（７２）の別端（７２’）は二つのクランク（５７、５２）の相互伝動により第２布案内機構（５）を駆動する。
【００２５】
該第１、２布案内機構（４、５）は第１、２スライドアーム（４１、５１）を具え、第１、２スライドアーム（４１、５１）の底部に滑り溝（４４、５４）が設けられて支持軸（５５）が組み合わされ、ならびに第１、２スライドアーム（４１、５１）が支持軸（５５）を支点として滑り溝（４４、５４）の空間を前後にスライドし、さらに第１、２スライドアーム（４１、５１）の末端に後ろ布案内歯（４３）と前布案内歯（５３）が設けられる。該第１、２スライドアーム（４１、５１）の前布案内歯（５３）と後ろ布案内歯（４３）と反対の別端に、軸棒（８４）により揺動機構（８）が組み付けられている。
【００２６】
該揺動機構（８）は位置決め手段（８２）により固定され、揺動機構（８）の一端が前述の軸棒（８４）上の橇板（８１）に組み付けられ、該橇板（８１）の別端に組み付け手段（８３）により主伝動機構（１）の第１クランク（１２）（図３）が組み付けられる。前述の第１布案内機構（４）の末端は組み付け手段（４２）により第１押動機構（２）の第１プッシュアーム（２６）の別端（２６’）に組み付けられ（図４）、該第２布案内機構（５）の末端は第２プッシュアーム（５６）により第２押動機構（３）と第２調整機構（７）に接続される（図５、６）。
【００２７】
図２に示されるように、共通軸（１１）が外部モータにより駆動された後、主伝動機構（１）の各部品が回転し、主伝動機構（１）の第２クランク（１５）が第１、２押動機構（２、３）の各部品を駆動して往復揺動させ、これにより第１、２布案内機構（４、５）の第１、２スライドアーム（４１、５１）を駆動して支持軸（５５）を支点として滑り溝（４４、４５）内を水平往復スライドさせる。これと同時に、主伝動機構（１）の第１クランク（１２）もまた揺動機構（８）を駆動して第１、２スライドアーム（４１、５１）を上下に褶動させ、これにより、第１、２押動機構（２、３）と揺動機構（８）が同期に第１、２布案内機構（４、５）を駆動し、これにより第１、２スライドアーム（４１、５１）を楕円形軌跡を以て前後に運転させ、前布案内歯（５３）と後ろ布案内歯（４３）を一定の距離を以て移動させ、布を案内させる。
【００２８】
図２、８は差動布案内行程制御装置を横式直筒ミシン内部に配置した側面図と、差動布案内行程制御装置の第１調整機構の調整方式表示図である。図２に示されるように、第１、２調整機構（６、７）のスイングレバー式調整部（６４、７９）はミシン（９）の横式作業プラットフォーム（９１）の側部（９１１）外に配置される。これにより、操作者は簡単にスイングレバー式調整部（６４、７９）を駆動して第１、２押動機構（２、３）のオフセット量を調整でき、これにより第１、２布案内機構（４、５）の前布案内歯（５３）と後ろ布案内歯（４３）の相対作業行程ｄを制御し、操作者に布の性質により細かい調整を行なわせることができ、ならびにミシンで異なる弾性の布を縫う時の完全な縫製品質を確保することができる。
【００２９】
また、図８に示されるように、第１調整機構（６）を固定し、第２調整機構（７）のスイングレバー式調整部（７９）を調整する説明を以下に行なう。スイングレバー式調整部（７９）を上向きに押動し、従動手段（７５）を駆動して時計回りに回転させると、連動アーム（７２）が下向きに牽引され、さらに第５クランク（２２）、クランク（５２）及び第２プッシュアーム（５６）が時計回りに回転し、最後に第２プッシュアーム（５６）が第２スライドアーム（５１）を駆動して前進させ、これにより前布案内歯（５３）、後ろ布案内歯（４３）の間の相対作業行程ｄ（差動送り量）が増す。
【００３０】
同様に、第２調整機構（７）を固定し、第１調整機構（６）を調整する時、スイングレバー式調整部（６４）を上向きに押動すると、従動手段（６１）が駆動されて時計回りに回転し、連動ブロック（２１）、第５クランク（２２）、第６クランク（２５）及び第１プッシュアーム（２６）が時計回りに回転し、最後に第１プッシュアーム（２６）が第１スライドアーム（４１）を駆動し前向きに移動させ、これにより前布案内歯（５３）と後ろ布案内歯（４３）の間の相対作業行程ｄ（差動送り量）が減少する。
【００３１】
このほか、縫製作業の要求により、同時に第１、２調整機構（６、７）を調整して、前布案内歯（５３）、後ろ布案内歯（４３）の間に最大或いは最小の相対作業行程ｄ（差動送り量）を達成させることができる。
【００３２】
図９は横式直筒ミシン内部の油供給システム表示図である。図示されるように、各機構の運動を円滑に行なわせ、摩擦抵抗を減らし、磨損を防止するためには、ミシン（９）の各機構内に改善した油供給システム（９４）が必要である。本考案の油供給システム（９４）は横式直筒ミシン（９）の機台主体（９３）内に配置され、オイルポンプセット（９４１）、濾過器（９４２）及び複数の送油管（９４３）で構成されている。オイルポンプセット（９４１）の下軸とウォーム（９４１１）の回転により、潤滑油は油盤より送油管（９４３）を通り濾過器（９４２）に進入し、強制的にミシン（９）上座（図示せず）及び差動布案内行程制御装置（４００）に送られる（図１）。
【００３３】
図１０、１１は横式直筒ミシンの油路透視図である。図示されるように、該差動布案内行程制御装置（４００）の主伝動機構（１）、第１、２押動機構（２、３）、第１、２布案内機構（４、５）、及び第１、２調整機構（６、７）内には油路（９５）（粗い点線で表示されている）及び油孔（９６）が設けられ、各機構の各部品が組み合わされる時、油孔（９６）は連通状態を形成し、潤滑油が各部品を流れ、機構の高速運転下で、相互間の潤滑油の伝送により、各部品間の潤滑が達成され、油孔（９６）が別の油孔（９６）と連通しない時、油孔（９６）はシール手段Ａで封じられ（例えば図５の軸（３２）の両端に示されるとおり）、これにより漏油現象の発生が防止され、各伝動機構の順調な運転が確保される。
【図面の簡単な説明】
【００３４】
【図１】本考案の横式直筒ミシンの局部外観及び各装置の配置方式表示図である。
【図２】本考案中、差動布案内行程制御装置の横式直筒ミシン内部における側面図である。
【図３】本考案中、差動布案内行程制御装置の主伝動機構立体分解図である。
【図４】本考案中、差動布案内行程制御装置の主伝動機構と第１押動機構及び第１調整機構の組立方式を示す立体分解図である。
【図５】本考案中、差動布案内行程制御装置の第２押動機構と第１押動機構及び第２布案内機構の組立方式を示す立体分解図である。
【図６】本考案中、差動布案内行程制御装置の第２調整機構の立体分解図である。
【図７】本考案中、差動布案内行程制御装置の第２調整機構と第２布案内機構、及び揺動機構と第１布案内機構の組立方式を示す立体分解図である。
【図８】本考案中、差動布案内行程制御装置の第１調整機構の調整方式表示図である。
【図９】本考案の横式直筒ミシン内部の油供給システム表示図である。
【図１０】本考案の横式直筒ミシン内部の各機構の油路透視図である。
【図１１】本考案の横式直筒ミシン内部の各機構の油路透視図である。
【符号の説明】
【００３５】
（９）ミシン
（９２）直筒
（９１）横式作業プラットフォーム
（１００）自動糸弛め装置
（１０１）糸接続セット
（１０２）動力供給器
（１０３）連動機構
（１０４）糸掛け器
（１０５）糸挟持器
（２００）張力調整機構
（２０１）動力源
（２０２）第３軸心
（２０３）カム
（３００）自動糸切り双方向電磁石装置
（３０１）糸切りユニット
（３０２）双方向電磁石
（３０３）ガイドロッド
（３０４）水平移動ロッド
（３０５）微力バネ
（４００）差動布案内行程制御装置
（１）主伝動機構
（２）第１押動機構
（３）第２押動機構
（４）第１布案内機構
（５）第２布案内機構
（６）第１調整機構
（７）第２調整機構
（８）揺動機構
（１１）共通軸
（１２）第１クランク
（１２１）軸スリーブ
（１２２）軸受
（１２３）ワッシャ
（１３）第３クランク
（１３’）別端
（１３０）針当機構
（１３１）針当器
（１３３）活動体
（１３４、１３５）針当
（１４）軸スリーブ
（１４１）軸受
（１４２）軸受
（１５）第２クランク
（１５’）別端
（１６）位置決め装置
（１６０）下曲針機構
（１６１）クランク
（１６２）曲針
（１７）軸スリーブ
（１７１）軸受
（１７２）ワッシャリング
（１８）第４クランク
（１８１）組み付け溝
（１８２）軸
（２１、６１）連動ブロック
（２２）第５クランク
（２３）軸スリーブ
（２４）軸
（２５）第６クランク
（２５’）別端
（２６）第１プッシュアーム
（２７）位置決め手段
（６１１）枢軸
（６２）従動手段
（６２１、６２２、６２３）取り付け孔
（６２１１）位置決め手段
（６３）駆動軸
（６４）スイングレバー式調整部
（３１）クランク
（３１’）一端
（３１”）別端
（３１１）枢軸
（３２）軸
（３３）連動手段
（３４）連動手段
（３５）自潤滑軸受
（３６）軸スリーブ
（３７）連動アーム
（３８、３８’）軸スリーブ
（３９）自潤滑軸受
（７１）クランク
（７１１）一端
（７１２）別端
（７２）連動アーム
（７２’）別端
（７２１）軸
（７３）クランク
（７３’）一端
（７４）軸
（７５）従動手段
（７５１、７５２、７５３）取り付け孔
（７６）位置決め手段
（７８）駆動軸
（７９）スイングレバー式調整部
（５７、５２）クランク
（４１）第１スライドアーム
（４２）組み付け手段
（５１）第２スライドアーム
（４３）後ろ布案内歯
（４４、５４）滑り溝
（５３）前布案内歯
（５５）支持軸
（５６）第２プッシュアーム
（８１）橇板
（８２）位置決め手段
（８３）組み付け手段
（８４）軸棒
（９３）機台主体
（９４）油供給システム
（９４１）オイルポンプセット
（９４１１）ウォーム
（９４２）濾過器
（９４３）送油管
（９５）油路
（９６）油孔
【図１】
0003102421.tif 000003
【図２】
0003102421.tif 000004
【図３】
0003102421.tif 000005
【図４】
0003102421.tif 000006
【図５】
0003102421.tif 000007
【図６】
0003102421.tif 000008
【図７】
0003102421.tif 000009
【図８】
0003102421.tif 000010
【図９】
0003102421.tif 000011
【図１０】
0003102421.tif 000012
【図１１】
0003102421.tif 000013